(57)【要約】【課題】  壁面あるいは床面等の平板面に開設された開口部間、配管と別の配管やホースとを短時間に、かつ、簡易に接続し得て、必要な作業期間に亙って液体の漏出と脱管を防ぐことができる配管継手を提供することをその目的とする。【解決手段】  管体の一端にストッパーを設け、他端側に螺子部を形成するとともに、前記ストッパーに当接するように弾性スリーブを嵌装し、該弾性スリーブの後端を押圧する螺子を螺合せしめたものである。【選択図】            図１
2006038125.tif 000002
【特許請求の範囲】
【請求項１】
開口部や配管に対して配管やホースを接続する配管継手において、管体の一端にストッパーを設け、他端側に螺子部を形成するとともに、前記ストッパーに当接するように弾性スリーブを嵌装し、該弾性スリーブの後端を押圧する螺子を螺合せしめたことを特徴とする配管継手。
【請求項２】
開口部や配管に対して、配管やホースを接続する配管継手において、前述の弾性スリーブに、その外径にほぼ等しい内径とその外径より大きい外径を有する補助弾性スリーブを組合せ嵌装することにより、前記弾性スリーブの後端を押圧する螺子を螺合せしめたことを特徴とする配管継手。
【発明の詳細な説明】
【技術分野】
【０００１】
本発明は、配管継手に関するものである。
【背景技術】
【０００２】
壁面、あるいは、床面に開設された流体の給排口を有する貯槽、プール、浴槽等において、前記する給排口を一時的に接続する場合、さらには、配管同士の一時的な接続を行う必要が生じるケースが多々存在する。例えば、図６に示される様な循環式浴場設備にあっては、長期の使用にあって、浴場設備における機器ならびに配管、特に、配管内における湯垢の付着、汚れ、バイオフィルム（生物膜＝ヌメリ）が生成され、レジオネラ属菌、その他の雑菌の繁殖の温床となることから、定期的に機器ならびに配管内部における付着する汚れ、堆積物を洗浄除去するために化学薬剤（以下、単に薬剤という。）、例えば、過酸化水素水を使用し、前記機器類を循環させて洗浄することが行われる。
【０００３】
かかる洗浄に際しては、薬液貯留タンクＡに薬剤を投入し、ポンプＢによりヘアキャッチャーＣ、熱交換器（ボイラー）Ｅ、浴槽Ｆを順次に循環せしめ、配管内部に生成された湯垢、汚れ、バイオフィルム（生物膜＝ヌメリ）を洗浄除去するものであるが、この時、薬剤濃度を一定の濃度に維持しつつ洗浄する必要があることから、浴槽Ｆを経由させることは、使用薬剤量が増大することとなり、処理費の増大を招くことになる。
【０００４】
このため、浴槽Ｆをショートカットするように、浴槽Ｆにおける湯の循環供給口Ｇと、循環排出口Ｈとを配管により連絡し、さらには、洗浄時における異常反応を回避するために、ろ過機Ｄを迂回するようにバイパス管路Ｊを設置し、これにより洗浄を行うことが行われている。
【０００５】
しかして、浴槽Ｆにおいてショートカットのための配管又はホースＩを接続するに当たっては、循環供給口Ｇに外形がテーパー状のゴム栓Ｋをハンマー等で叩き込むことにより貫入し（図７参照）、さらに、ゴム栓Ｋの中央部に設けた挿入孔Ｌに、一端にネジＮを形成した接続管Ｐをハンマー等で叩き込むことにより打設し、これにより、前記ゴム栓Ｋを循環供給口Ｇの内面に圧入固定して配管継手Ｑとなし、循環排出口Ｈにおいても同様に配管継手Ｑを施すとともに、両配管継手Ｑを連結管としての配管又はホースＩで接続することにより、ショートカット配管系を構成し、洗浄することが行われる。
【０００６】
しかしながら、かかる構成にあっては、浴槽Ｆの壁面に開設された開口部や配管に対して、ハンマー等で叩き込む構成であるため、長時間の洗浄作業における振動や管内液圧等により、テーパー状の弾性スリーブにパイプを差込んで形成した配管継手が、平板面に開設された開口部や配管から抜けて、配管内部の液体が漏出する事故を招く可能性がある。
【０００７】
また、配管継手Ｑを打設するにテーパー状の弾性スリーブにパイプを差込んで形成した配管継手をハンマー等で叩き込むことにより、壁面に開設された循環供給口Ｇと、循環排出口Ｈや配管に対して、強い衝撃を与えることとなり、循環供給口Ｇと、循環排出口Ｈや配管の破損を招く可能性があるのみならず、循環供給口Ｇと、循環排出口Ｈの口径に適合する多数のゴム栓Ｋを用意する必要がある等の問題を有するものである。
【０００８】
かかる現状に鑑み、壁面のような平板面に開設された配管の開口部にパイプを接続する技術として、例えば、実用新案登録第３０３２１７１号公報に示される技術が提案されている。即ち、横引枝管用配管継手が、口縁に差込ソケット部の内径よりも拡径された内径を持つパッキン収容部を持つ差込ソケット部と、このパッキン収容部から集合縦管の軸方向外方に一体的に延在する内ネジ付き環状端部とを備えており、パッキン収容部には、横引枝管の管端部外周に嵌められた弾性環状パッキンが収容されると共に、押し輪の回動操作用の工具との係合部を有する鍔部を持ち、環状端部の内ネジと螺合して弾性環状パッキンを押圧する押し輪が挿入される。
【０００９】
しかしながら、この先行技術は、壁面の開口部に、枝管の先端部を膨出（バーリング）加工することにより、壁面の開口部に恒久的に枝管を固設するものであって、必要に応じて着脱しうる目的からは懸隔せるものである。
【特許文献１】実用新案登録第３０３２１７１号公報
【発明の開示】
【発明が解決しようとする課題】
【００１０】
そこで、本発明は、壁面あるいは床面等の平板面に開設された開口部間、配管と別の配管やホースとを短時間に、かつ、簡易に接続し得て、必要な作業期間に亙って液体の漏出と脱管を防ぐことができる配管継手を提供することをその目的とする。
【課題を解決するための手段】
【００１１】
前述の課題解決するための本発明に係る配管継手の構成は、平板面に開設された開口にパイプを接続する配管継手において、管体の一端にストッパーを設け、他端側に螺子部を形成するとともに、前記ストッパーに当接するように弾性スリーブを嵌装し、該弾性スリーブの後端を押圧する螺子を螺合せしめた点に存するものである。
【発明の効果】
【００１２】
本発明にかかる配管継手によれば、弾性スリーブの膨出による開口部あるいは配管内面との摩擦による掛止を行うことにより、配管の接続が容易に行なえると共に、打撃貫入作業をなくすることからこれに伴う平板面に開設された配管開口部の破損を回避しえるとともに、液体の漏出と脱管を確実に防ぐことが可能となり、加えて、弾性スリーブ、さらには、補助弾性スリーブの使用により、これらの膨出作用によって配管開口部の寸法に対する適合性が増大し、配管継手の保有数を削減しうる経済性を有し、産業上奏する効果大なるものである。
【実施例】
【００１３】
以下、図面を参照して本発明配管継手を説明するが、これは発明を限定する意図でなされるものではなく、本発明の技術的思想を逸脱しない範囲において変形し得るものであることは勿論である。
【００１４】
図１、図２において、配管継手１はパイプ２の一端に該端部２’が突出するようにストッパー３を嵌着し、溶接４により固定し、中間部分に平滑な胴部５を形成するとともに、反ストッパー側にネジ部６を形成する。前記パイプ２の胴部５にストッパー３の外径より若干寸法の大なる外径を有するゴム製の弾性スリーブ７を嵌挿し、さらに、弾性スリーブ７の端面に当接する回転環８を嵌挿するとともに、前記ネジ部６に螺合するナット９を螺合せしめている。このパイプ２の端部２’にネジを螺設し、該ネジ部６’にキャップ栓１０が螺着することも可能である。（図２）
【００１５】
図３は実施の態様を示すもので、壁面あるいは床面等の平面１１に開設された開口１２に本発明にかかる配管継手１を用いてパイプを接続する状態を示し、壁面１１の開口１２に配管継手１の端部２’側からネジ部６が開口１２から突出するように内部に挿通する。この状態において、ナット９を回転させて前進させると、ナット９が回転環８を押圧し、回転環８はパイプ２の胴部５上をストッパー３へ向かって前進することから、ストッパー３と回転環８に挟持されている弾性スリーブ７は半径方向に変形され、換言すれば、半径方向に膨出することとなり、弾性スリーブ７と開口１２内面とは圧着状態、即ち、密封状態が確保できることになり、しかる後、ネジ部６にショートカットのための配管又はホースを接続する。
【００１６】
また、図４は本発明の他の実施例を示すもので、壁面あるいは床面等の平面１１に開設された開口１２寸法に合わせて配管継手１における弾性スリーブ７を準備するのが望ましいが、例えば、弾性スリーブ７の外周に嵌着する種々の外径寸法を有するゴム製の補助弾性スリーブ１３を準備し、補助弾性スリーブ１３を配管継手１の弾性スリーブ７の外周に嵌着して使用することも可能なもので、前述と同様に、弾性スリーブ７の膨出が補助弾性スリーブ１３に伝達され、該補助弾性スリーブ１３が膨出することにより開口１２との密着を行わせることができる。
【００１７】
また、図５は本発明の他の実施例を示すもので、配管継手1におけるパイプ２の変形例を示すもので、パイプ２の端部に鍔部１４を一体的に形成してなり、その内面にネジ部１５を形成し、該ネジ部１５にパッキングを介してプラグ栓１６を螺着せしめたもので、たとえば、図６に示す機器をショートカットする場合に機器配管の端部を閉塞する場合に盲栓として使用するものである。
【図面の簡単な説明】
【００１８】
【図１】本発明にかかる配管継手の組み立て状態を示す説明図
【図２】本発明にかかる配管継手の構成部品を示す説明図
【図３】本発明にかかる配管継手の作用状態を示す説明図
【図４】本発明にかかる配管継手の他の実施態様を示す説明図
【図５】本発明にかかる配管継手の他の実施例を示す説明図
【図６】循環型浴場設備の一例を示す説明図
【図７】従来における配管接続構造を示す説明図
【符号の説明】
【００１９】
１：配管接続継手
２：パイプ
３：ストッパー
４：溶接
５：胴部
６：ネジ部
７：弾性スリーブ
８：回転環
９：ナット
１０：キャップ栓
１１：壁面
１２：開口
１３：補助弾性リング
【図１】
2006038125.tif 000003
【図２】
2006038125.tif 000004
【図３】
2006038125.tif 000005
【図４】
2006038125.tif 000006
【図５】
2006038125.tif 000007
【図６】
2006038125.tif 000008
【図７】
2006038125.tif 000009